(57)【要約】      （修正有）【課題】移動、搬送に便利で、低コストな一本成形タイプの組み立てが簡単な紙製棺を提供する。【解決手段】底板の四側辺には外向きに延伸して折り曲げが簡単な左右内側板と左右外側板と左右押圧板、及び前後内側板と前後外側板とを設ける。前後外側板の内面には厚紙を設け、厚紙の左右両側には挟板を設け、組み立て時、左右外側板と左右内側板の間に挟み込み、それと同時に、嵌合部品と螺着部品を使って三者を螺合固定することにより堅固な紙製棺を作り上げ、布製シールの四辺に設けるガード部によって隙間を作らず封をする処理を行なう。紙製棺本体内部には内板と布を取り付け、棺蓋を被せ、棺蓋両側に設ける紐輪を嵌合部品に引き掛けて紙製棺を完成させる。【選択図】図２
0003163633.tif 000002
【実用新案登録請求の範囲】
【請求項１】
紙製棺本体と嵌合部品と内板と布と棺蓋とにより構成される一本成形タイプの組み立てが簡単な紙製棺において、
前記紙製棺本体は一本成型タイプの折り畳み及び組み立ての簡単な紙製棺本体であり、前記紙製棺本体の中央には底板を設け、前記底板の四側辺には外向きに延伸して対称となる左右外側板と前後外側板を設け、前記左右外側板と前後外側板は上向きに折り曲げて高さを形成するもので、左右外側板と前後外側板には更に外向きに延伸して対称となる左右内側板と前後内側板とを設け、前記左右内側板と前後内側板は下向きに折り曲げるもので、左右内側板には更に外向きに延伸して対称となる左右押圧板を設け、前記左右押圧板は折り曲げて底板上を圧し、左右外側板と左右内側板の対応箇所には第一貫通孔と第二貫通孔を設け、前後内側板と前後外側板の間には厚紙を設け、前後内側板と前後外側板の両側には外向きに延伸して対称となる挟板を設けて左右外側板と左右内側板は挟板を中間に挟み込み、第一貫通孔と第二貫通孔に対応する挟板には嵌合部品を嵌合定位させるための第三貫通孔を設け、前後外側板外部には布製シールを貼り付け、布製シールの四辺から延伸されるガード部は左右外側板と前後外側板間の隙間を密封し、
前記嵌合部品は左右外側板の第一貫通孔から挿入し挟板の第三貫通孔を通過して更に左右内側板の第二貫通孔から出し、
前記内板は紙製棺本体の底板上に配置し、
前記布は内板及び紙製棺本体の周囲壁面上に配置し、
前記紙製棺の棺蓋の大きさはちょうど紙製棺本体の上方を被嵌する大きさとし、紙製棺の棺蓋の嵌合部品に対応する箇所には嵌合部品を引き掛けるための弾性のある固定紐輪を備えることを特徴とする一本成形タイプの組み立てが簡単な紙製棺。
【請求項２】
前記内板はポリプロピレン素材の環境を守る無毒合成紙（或いは防水性を備える環境保護材質）によって作製し、布の縫い目と結合して一本となることを特徴とする請求項１記載の一本成形タイプの組み立てが簡単な紙製棺。
【請求項３】
前記紙製棺本体外に更に搬送架体を設け、前記搬送架体は前後がコの字型となっているフレームを備え、フレームの底部は螺着体を用いて二本の直板体を螺合固定し、フレーム両端の外側には二本の棒体を貫設するための穿孔を設け、四つの固定部品を使って棒体の両端を固定して取外しし易い搬送架体を形成し、搬送架体は金属或いは変形し難い材質で製作し、空間を取らずリサイクル使用できることを特徴とする請求項１記載の一本成形タイプの組み立てが簡単な紙製棺。
【請求項４】
前記搬送架体の直板体の一端は折り曲げ、他の一端は折り曲げていないため、紙製棺本体の出し入れを非常に便利にすることを特徴とする請求項３記載の一本成形タイプの組み立てが簡単な紙製棺。
【請求項５】
前記紙製棺本体、棺蓋は何れも段ボール構造であり、中間に第一挟板と第二挟板とを、両側に第一ウェーブ板と第二ウェーブ板とを備え、更に前記第一ウェーブ板外側には第一表層板を、前記第二ウェーブ板外側には第二表層板を設ける故、軽く丈夫な上下ウェーブの異なる段ボール紙を構成することを特徴とする請求項１記載の一本成形タイプの組み立てが簡単な紙製棺。
【請求項６】
前記嵌合部品には中国紐の飾り物を吊設することを特徴とする請求項１記載の一本成形タイプの組み立てが簡単な紙製棺。
【請求項７】
前記布の両側周囲壁面には嵌合部品の末端部が持ち上がらないように定位するための若干の穴を設けることを特徴とする請求項１記載の一本成形タイプの組み立てが簡単な紙製棺。
【考案の詳細な説明】
【技術分野】
【０００１】
本考案の一本成形タイプの組み立てが簡単な紙製棺は一枚成形で簡単に折り畳め簡単に組み立てできる紙製棺技術に応用したものである。
【背景技術】
【０００２】
現在、台湾の土地面積と環境を考えると私達に土葬を選択する余地は与えられていない。台湾の土地面積には限りがあり、台湾の墓地用地の占める割合は過多となっているため公営墓地及び私営墓地を引き続き開発していくのなら陰盛陽衰の思わしくない現象が生じてしまう。よって、台湾政府は現在この土葬という風俗習慣を火葬習慣に改善しようと積極的で、喪家に火葬の実質的意味を直視するよう促し、亡き者に一万五千元相当の葬儀手当てを支給している。これは人々に歓喜を呼び起こし非常に意義のある宣伝活動で、プラス面の多い火葬文化の本質的意味を日々高め、台湾の面積が更に小さくなる危機から脱することができる。同時に地球環境保護の潮流に基づくと木製棺は樹木の伐採を引き起こしエネルギー節約、炭素減少の要求を実現することはできない。
【０００３】
特許文献１、特許文献２、特許文献３、特許文献４、特許文献５は紙製棺の特許であり、何れもリサイクルの紙材により作製された紙製棺で、棺材作製コストを抑えることができるのと同時に地球環境保護、省エネ、炭素削減及び樹木伐採減少という観念に基づき推進実行に値するものである。
【０００４】
しかし、前記の特許製品に関する紙製棺の大部分は数枚の板材を重ね合わせる組み立て、嵌合、或いは粘着する技術を必要とし構造が複雑すぎるため自分で組み立てることができない故、これが現在存在する解決の待たれる一つ目の問題点及び欠点となる。
【０００５】
また、前述した特許の紙製棺は、例えば特許文献２、特許文献４、特許文献５、特許文献６の特許は主に複数の紙板を用いるもので、その公知のダンボール箱の製作方法は嵌合やホゾを接合する技術により組み合わせて一本とするが、多過ぎる点を接合して完成させた紙製棺は製造作業が複雑であるだけでなく大量生産に向かず、特に棺全体の組み立てを先に済ませた後にコンテナに入れて出荷するため大きな運送空間を占める他、載積運送量を減少させる故、コストの大幅アップとなり、これが現在存在する解決の待たれる二つ目の問題点及び欠点である。
【先行技術文献】
【特許文献】
【０００６】
【特許文献１】台湾特許第３４２７０９号明細書
【特許文献２】台湾特許第４２２０９１号明細書
【特許文献３】台湾特許第４５４５０８号明細書
【特許文献４】台湾特許第４５４５０９号明細書
【特許文献５】台湾特許第４５７９３５号明細書
【特許文献６】台湾特許第４２００８号明細書
【考案の概要】
【考案が解決しようとする課題】
【０００７】
本考案は、構造が複雑すぎるため自分で組み立てが不可能であることとコスト高であることの欠点を解決すべく一本成形タイプの組み立てが簡単な紙製棺を提供する。
【課題を解決するための手段】
【０００８】
本考案者は現在、製品の製造、設計に従事した長年の実務経験と心得を積み重ね、伝統的な公知の紙製棺に存在する問題点と欠点に対して創造と改良精神を積極的に打ち出し一本成形タイプの組み立てが簡単な紙製棺を完成させた。
【０００９】
問題解決に応用する本考案の技術手段は、一本成形タイプの折り畳みと組み立てが簡単な紙製棺本体において、その底板の四つの側辺に外向きに延伸して簡単に折り曲げられる左右内側板、左右外側板、左右押圧板、前後外側板、前後内側板を設け、前後外側板内面には更に厚紙を設け、前後内側板と前後外側板の両側に設ける挟板は、組み立て時、左右内側板と左右外側板間に挟み込まれ、嵌合部品を使って三者を丈夫な紙製棺に螺合固定し、布製シールの四辺に設けたガード部はつなぎ目を作らずに隙間を塞ぐ役割を果たしており、紙製棺本体内部には内板と布を設け、紙製棺本体を被嵌する棺蓋の両側には嵌合部品に引き掛ける固定紐輪を設け、これにより地球環境を守る紙製棺が完成する。
【考案の効果】
【００１０】
本実用新案の効果を公知技術と比較すると、一本成形タイプの組み立てが簡単な紙製棺本体は、運送時に平たく伸ばし重ね合わせた状態での運送が可能であるため、大量運搬可能な紙製棺であり、しかも組み立てが簡単である故、葬儀場や火葬場等の組み立てに適する場所に運搬してから組み立てるだけでよく、また防水性内板と布の配置及び組み立て完成後に粘着して隙間を塞ぐガード部の働きにより遺体の水分が紙製棺を浸透することなく、効果上に進歩が見られ主目的を達成する。
【図面の簡単な説明】
【００１１】
【図１】本考案を平たくして積み重ねた状態に関する立体分解図である。
【図２】本考案に関する立体分解図である。
【図３】本考案の紙製棺を開いた状態に関する立体図１である。
【図４】本考案の紙製棺を開いた状態に関する立体図２である。
【図５】本考案の紙製棺を組み立てた状態に関する立体図１である。
【図６】本考案の紙製棺を組み立てた状態に関する立体図２である。
【図７】本考案の紙製棺を組み立てた状態に関する立体図３である。
【図８】本考案の紙製棺を組み立てた状態に関する立体図４である。
【図９】本考案の組み立てた状態に関する断面図１である。
【図１０】本考案の組み立てた状態に関する断面図２である。
【図１１】本考案の搬送架体に関する立体組み立て図である。
【図１２】本考案の搬送架体に関する立体分解図である。
【図１３】本考案の搬送架体に関する組み立て断面図である。
【考案を実施するための形態】
【００１２】
当該技術の熟知者及び業界の方に本考案の構造内容及び達成可能な機能と効果を深く理解して戴くために、図面を組み合わせた具体的な実施例によって次の通り詳細説明する。
【００１３】
一本成形タイプの組み立てが簡単な紙製棺は、図１に示す本考案を平たくして積み重ねた状態に関する立体分解図、図２乃至４に示す本考案に関する立体分解図と図１と図２の紙製棺を開いた状態に関する立体図、及び図５乃至８に示す図１乃至図４の紙製棺を組み立てた状態に関する立体図の通りであり、前記紙製棺は、紙製棺本体１０、嵌合部品２０、内板３０、布４０、及び棺蓋５０を備える。
【００１４】
一本成形タイプの組み立てが簡単な紙製棺は、運送時、平たくして積み重ねて運べるため、大量運送が可能な紙製棺である。
【００１５】
紙製棺本体１０は一本成型タイプの折り畳み及び組み立ての簡単な紙製棺本体１０である。特に、紙製棺本体１０の中央には長方形の底板１１を設け、前記底板１１の長辺の両側には外向きに延伸して対称となる左右外側板１２を設け、前記左右外側板１２は上向きに折り曲げ、左右外側板１２には更に外向きに延伸して対称となる左右内側板１３を設け、左右内側板１３は下向きに折り曲げ、左右内側板１３には更に外向きに延伸して対称となる左右押圧板１４を設け、左右押圧板１４は折り曲げて底板１１上を圧し、左右外側板１２と左右内側板１３の対応箇所には第一貫通孔１２１と第二貫通孔１３１を設け、底板１１の短辺両側には外向きに延伸して対称となる前後外側板１５を設け、前記前後外側板１５は上向きに折り曲げ、前後外側板１５には更に外向きに延伸して対称となる前後内側板１８を設け、前後内側板１８は下向きに折り曲げ、前後外側板１５と前後内側板１８間には厚紙１６を設け、前後外側板１５、前後内側板１８の左右両側には外向きに延伸して対称となる左右挟板１７を設け、左右外側板１２と左右内側板１３は左右の挟板１７を中間に挟み込み、第一貫通孔１２１と第二貫通孔１３１に対応する挟板１７には嵌合部品２０を嵌合定位させるための第三貫通孔１７１を設け、前後外側板１５外部には布製シール１９を貼り付け、布製シール１９の四辺からはガード部１９１を延伸させ、左右外側板１２上に貼り付けて左右外側板１２と前後外側板１５間の隙間を密封する。
【００１６】
嵌合部品２０を左右外側板１２の第一貫通孔１２１から挿入し挟板１７の第三貫通孔１７１を通過して更に左右内側板１３の第二貫通孔１３１から出すことにより、紙製棺本体１０の組み立てが更に堅固になるのと同時に嵌合部品２０中国紐の飾り物２１を吊設することも可能である。
【００１７】
内板３０は紙製棺本体１０の底板１１上に配置する。
【００１８】
布４０は紙製棺本体１０の内部底面と周囲壁面上に配置し、布４０の両側周囲壁面には嵌合部品２０の末端部を持ち上がらずに定位させるための四つの穴４１を設ける。
【００１９】
紙製棺の棺蓋５０の大きさは丁度紙製棺本体１０の上方を被嵌する大きさとし、棺蓋５０の長辺両側の嵌合部品２０に対応する箇所に、嵌合部品２０を引き掛けるための弾性のある固定紐輪５１を備える。
【００２０】
前記の各部品を構成要素として組み合わせて形成される本考案は、一本成形タイプの組み立てが簡単な紙製棺を提供するもので、実際の応用は次に示す通りである。
【００２１】
図９及び図１０には、本考案の組み立てた状態に関する断面図１及び２を示す。本考案の紙製棺は何れも段ボール構造であり、第一挟板１と第二挟板２と備え、両側には第一ウェーブ板３と第二ウェーブ板４とを備え、第一ウェーブ板３外側には第一表層板５を、第二ウェーブ板４外側には第二表層板６を設けるため、軽く丈夫な上下ウェーブの異なる段ボール紙が構成される。
【００２２】
図１１、図１２、図１３に、本考案の搬送架体に関する立体組み立て図、立体分解図、組み立て断面図を示す。前記搬送架体６０は前後がコの字型となっているフレーム６１を備え、コ型フレーム６１の底部には螺着体６２を用いて二本の直板体６３を螺合固定し、フレーム６１両端の外側には二本の棒体６５を貫設するための穿孔６４を設け、四つの固定部品６６を使って棒体６５の両端を固定して取外しし易い搬送架体６０を形成し、搬送架体は金属或いは変形し難い材質で製作し、空間を取らずリサイクル使用を可能とし、前記紙製棺本体１０を棺蓋５０上において棺蓋５０の棒体６５を用いて搬送を行ない、直板体６３の一端は折り曲げ、他の一端は折り曲げていないため、紙製棺本体１０の出し入れが非常に便利である。
【００２３】
本考案の効果が増強されている事実を次に示す。
（１）提供する一本成形タイプの組み立てが簡単な紙製棺において前記紙製棺本体は一本成型タイプであり、組み立て以前の平たく伸ばした状態での大量出荷が簡単に行えるため空間及びコストの削減が実現し、積載運送量を増加し、本紙製棺は組み立てが非常に簡単であり、しかも本紙製棺はそれを置くための搬送架体を有しており、本紙製棺の移動及び火葬場に送るまでの搬送作業を便利にする。
（２）前述した通り特殊に改善した構造設計は主に、本構成要素上に一本成型という新規概念を取り入れたものであり、それによって平たく伸ばして空間を取らない出荷が可能となり、また簡単な組み立て使用ができ、非常に丈夫で安全な構造は地球環境保護概念を含み、ペットに適用可能な紙製棺である。
【００２４】
前述した通り、本考案は一本成形タイプの組み立てが簡単な紙製棺を提供するもので、本考案人は実際に製作し繰り返しテストを行った結果、本考案の予期する機能と効果が実現されることを確実に証明した。また、現在市場には見られぬ「最初の創作」であり、「産業上の利用価値」を備え、実用新案成立要件の「実用性」及び「進歩性」に符合する故、ここに特許法の規定にもとづき貴庁に対し実用新案の出願を行う。
【産業上の利用可能性】
【００２５】
本考案は実用新案の要件である新規性を備え、従来の同類製品に比べ十分な進歩を有し、実用性が高く、社会のニーズに合致しており、産業上の利用価値は非常に大きい。
【符号の説明】
【００２６】
１    第一挟板
２    第二挟板
３    第一ウェーブ板
４    第二ウェーブ板
５    第一表層板
６    第二表層板
１０  紙製棺本体
１１  底板
１２  左右外側板
１２１  第一貫通孔
１３  左右内側板
１３１  第二貫通孔
１４  左右押圧板
１５  前後外側板
１６  厚紙
１７  挟板
１７１  第三貫通孔
１８  前後内側板
１９  布製シール
１９１  ガード部
２０  嵌合部品
２１  中国紐の飾り物
３０  内板
４０  布
４１  穴
５０  棺蓋
５１  固定紐輪
６０  搬送架体
６１  コ型フレーム
６２  螺着体
６３  直板体
６４  穿孔
６５  棒体
６６  固定部品
【図１】
0003163633.tif 000003
【図２】
0003163633.tif 000004
【図３】
0003163633.tif 000005
【図４】
0003163633.tif 000006
【図５】
0003163633.tif 000007
【図６】
0003163633.tif 000008
【図７】
0003163633.tif 000009
【図８】
0003163633.tif 000010
【図９】
0003163633.tif 000011
【図１０】
0003163633.tif 000012
【図１１】
0003163633.tif 000013
【図１２】
0003163633.tif 000014
【図１３】
0003163633.tif 000015